(57)【要約】【課題】  配線作業に携わる電気工事士の殆んどは自分の電線リールを持っていない。配線作業時には煩雑している現場の床に延線しつつ撚りを取り除く無駄な作業を無くしたい。この難題を解決するための電線リールの開発が待たれる。【解決手段】  開発された外出し、中出し自在なる平置型組み立て式携帯電線リールは、回転台、回転体、トンボ型引き廻し装置の３部体の組み合わせから成り、小さくして携帯し、大きくして使用できる。常に手元に置いて即対応できる。不要時には組み解いてケースに収納し携帯できる優れものである。電気工事士１人に１台携帯されることを強く望んで提供できる。【選択図】図１０
2010280501.tif 000002
【特許請求の範囲】
【請求項１】
円板の中心にナットを固着し、両端に捩子を有する回転軸を直立に捩子込んで回転台を成し、更なる円板の中心に回転軸に通す穴を設け、裏面にキャスターを固着し、表面にはストッパーを有するスライド式円板拡大具及び自在ナットを抱いたＣ型レールを固着し、その自在ナットに両端に捻子を有し、片方の捻子の先端に幾分細目の捻子無し部を有するアンカー打込型ボルトの捻子だけ側を直立に捻じ込み、そのボルトに８の字型パイプを通し、ナットで固定して自在電線軸
（５）
を形成し、回転体を成して回転軸に通し、更に回転軸に通す穴及び両端にストッパーを有するトンボ型パイプの両端に片方だけにボルトを通す穴を有する伸縮用のパイプを挿入し、ストッパーにて制御し電線の脱着及び左右上下自在に調整できる大型と小型の電線繰出しガイドフックに固着されている全捻子ボルトにナットを捻じ込んでボルトを通す穴に通して更にナットを捻じ込みトンボ型引き廻し装置を成して、ストッパー付止めナットが深く捻じ込まれた回転軸に通し、回転軸の先端に更にストッパー付き止ナットを捻じ込んで組上がりと成して使用し、不使用時には組解いて携帯できる構成から成る外出し、中出し自在なる組立式携帯電線リール。
【発明の詳細な説明】
【技術分野】
【０００１】  電気工事の配線作業に関する。
【背景技術】
【０００２】  従来の電線リールには縦軸式床置型及び横軸式スタンド型がある。
縦軸式は外出し、中出し両用で使用し、横軸式は外出しに使用されているが、共に架体が大きく重く性能に課題が多い。
【発明の概要】
【発明が解決しようとする課題】
【０００３】  配線作業に於いて電線リールは不可欠であるが、電気工事士は私物として殆んど持っていない。
従来の電線リールは架体が大きく、重く、性能に課題が多い。巻束電線の外側から引き出す外出しリールが多く、巻束電線の説明書付外装を剥ぎ取って捨ててしまうので、残線の処理に苦慮している。
外装付の残線は整理整頓に良く、暗い所で素人にもその電線を早く、正確に見極められる。
手元にリールが無い事が常であり、混然としている現場の床に延線しつつ撚を取り除く無駄な作業を無くしたい。
電気工事士１人に１台携帯できる電線リールの開発が待たれる。小さくして携帯し、大きくして使用できる外出し、中出し自在なる平置型組立式携帯電線リールは見当たらない。
本発明はその課題を解決したものである。
【課題を解決するための手段】
【０００４】  本発明による小さくして携帯し、大きくして使用できる外出し中出し自在なる平置型組立式携帯電線リールを詳しく説明する。
円板の中心にナットを固着し、両端に捻子を有する回転軸を直立に捻じ込んで回転台を成し、更なる円板の中心に回転軸に通す穴を設け、裏面にキャスターを固着し、表面にはストッパーを有するスライド式の円板拡大具及び自在ナットを抱いたＣ型レールを固着し、その自在ナットに、両端に捻子を有し、片方の捻子の先端に幾分細目の捻子無し部を有するアンカー打ち込み型ボルトの捻子のみ側を直立に捻じ込み、そのボルトに８の字型パイプを通し、ナットで固定して自在電線軸を形成し、回転体を成して回転軸に通し、更に回転軸に通す穴及び両端にストッパーを有するトンボ型パイプの両端に片方だけにボルトを通す穴を有する伸縮用のパイプを挿入し、ストッパーにて制御し電線の脱着及び左右上下自在に調整できる大型と小型の電線繰り出しガイドブックに固着されている全捻子ボルトにナットを捻じ込んでボルトを通す穴に通して、更にナットを捻じ込み、トンボ型引き廻し装置を成して、ストッパー付き止ナットが深く捻じ込まれた回転軸に通し、回転軸の先端に更にストッパー付き止ナットを捻じ込んで組み上がりと成して使用し、不使用時には組み解いて携帯できる構成から成る、外出し中出し自在なる平置型組立式携帯電線リールを電気工事士一人に１台携帯されることを目的としている。
【発明の効果】
【０００５】  １．小さくして携帯し、大きくして使用できる外出し、中出し、両出しなる平置型組立式線携帯電線リールを常に手元に置き、必要時に即応できることにより、床に延線しながら撚りを取り除く無駄な作業を無くし、迅速、且つ仕上がりの良い配線作業が電気工事士の信頼となり、次の仕事を導く。
２．巻束電線の内側から引き出す、即ち中出しは説明書付、外装のまま巻束電線を回転体に乗せて使用し、その残線は整理整頓に良く、暗がりで、素人にもその電線を早く正確に見極められる。即ち配線作業の基本を厳守する工具である。
３．巻束電線の外側からの引き出し、即ち外出しに生ずる巻束電線の上部からのほつれを防ぐ手段として開発されたトンボ型引き廻し装置に付随している電線繰り出しガイドフックを巻束電線の外側下部に定めて引き出す事により、その悩みは解消する。配線作業への貢献は多大である。
４．配線作業時に引き出し過ぎた電線を巻き込み、電線束を入れ替える時は本発明による自在電線軸に付随している８の字型パイプを電線軸が小さくなる方向へ動かすことにより、その脱着が容易になる配線作業への貢献は更に大きい。
５．本発明による小さくして携帯し、大きくして使用できる外出し、中出し、両出しなる組み立て式携帯電線リールは巻束電線以外の紐、縄、ロープ、ビニール管等の巻束物にも使用できる。
したがって、設備工事、建築業、漁業、農業等広範囲の使用が期待できる。
６．電気工事士は本発明による携帯電線リールを私物として常に携帯し、床に延線しながら撚りを取り除く無駄な作業を無くする工具である。
【図面の簡単な説明】
【０００６】
【図１】  外出し、中出し自在なる平置型組み立て式携帯電線リールの組み上り立体図。
【図２】  円板の中心に回転軸を有し、回転体及びトンボ型引き廻し装置の３６０度の回転を担う回転台の立体図。
【図３】  円板の裏面にキャスターが固着された立体図。中心の穴は回転軸を通す。
【図４】  図３の表面に固着して円板を大きくしての使用を担うスライド式円板拡大具の立体図。
【図５】  図３の表面に固着して自在電線軸の形成を担う自在ナットを抱いたＣ型レールの立体図。
【図６】  両端に捻子、その片方にだけ有する幾分細目の捻子無し部に工具を係けて締付し、自在電線軸の形成を担うアンカー打ち込み型ボルトの立体図。
【図７】  引き過ぎた電線を巻き取り８の字型パイプを電線軸が小さくなる方向へ動かし、巻束電線の入れ替えを容易にすることを担う８の字型パイプの立体図。
【図８】  円板の中心に設けられた穴を回転軸に通し、巻束電線を乗せて電線が引き出される程に回転し、撚りの無い電線の繰り出しを担う回転体の立体図。
【図９】  左右に下げた電線繰り出しガイドフックを左右上下自在に調整して  位置を定め、電線の外出し、中出し問わず、左右上下３６０度方面自在な引き廻しを担う、トンボ型引き廻し装置の立体図。
【図１０】  使用中の立体図。
【発明を実施するための形態】
【０００７】  試作品を作りテストを繰り返すこと。
【実施例】
【０００８】  本発明による３部体の組み合わせから成る外出し、中出し自在なる平置型組み立て式携帯電線リールは、円板（１）の中心にナット（２）を固着し、両端に捻子を有する回転軸（３）を直立に捻じ込んで回転台（図２参照）と成し、更なる円板（１）の中心に回転軸に通す穴（４）を設け、裏面にキャスター（５）を固着し、（図３参照）表面にはストッパー（６）を有するスライド式円板拡大図（７）（図４参照）及び自在ナット（２）を抱いたＣ型レール（８）（図５参照）各々を固着し、自在のナット（２）には両端に捻子を有し、その片方の捻子の先端が幾分細目の捻子無し部を有するアンカー打ち込み型ボルト（９）（図６参照）の捻子だけ側を直立に捻じ込み、捻子無し部に工具を係けて締め付け、８の字型パイプ（１０）（図７参照）を通し、ナットで固定して自在電線軸を形成し、回転体を成して（図８参照）回転軸（３）に通し、更にパイプの中心に回転軸を通す穴（４）及び両端にストッパー（６）を有するトンボ型パイプ（１１）の両端にボルトを通す穴（４）を有する伸縮用のパイプ（１２）を挿入し、ストッパー（６）にて制御し、電線の脱着自在なる電線繰り出しガイドフックの大型（１３）及び小型（１４）に固着されている全捻子ボルト（１５）にナット（２）を２個捻じ込んでボルトを通す穴（４）に通し、更にナット（２）を捻じ込み、トンボ型引き廻し装置を成して（図９参照）ストッパー付き止ナット（１６）を深く捻じ込んだ回転軸（３）に通し、更に回転軸（３）の先端にストッパー付き止めナット（１６）を捻じ込んで組み上がりと成す。
使用時、不使用時について説明する。【０００９】  使用時にはストッパー付き止ナット（１６）及びトンボ型引き廻し装置（図９参照）を一時外し、外出しの際には巻き束電線（１７）の外装を剥ぎ取り、中出しは外装付のまま回転体に乗せて（図１０参照）各々を元の位置へ戻し、外出し時の電線繰り出しガイドブックの位置は巻束電線（１７）の外径より外側下方に、中出し時は巻束電線（１７）の内径寄りの高い位置とする。各々の好位置を定めて左右上下３６０度方向自在に引き廻すことができる。
不使用時にはストッパー付き止ナット（１６）、トンボ型引き回し装置（図９参照）、８の字型パイプ（１０）（図７参照）、アンカー打ち込み型ボルト、電線の脱着自在なる電線繰出しガイドフックの大型（１３）、電線の脱着自在なる電線繰出しガイドフックの小型（１４）等を外し、ケースに収納し携帯できる。
次に本発明による電線リールの特徴を説明する。【００１０】  本体を成す３部体には予め部品が組み込まれている各部体から外されている部品を戻しながら組み上げられた電線リールには、巻き束電線の外径にスライド式円板拡大具、内径には自在電線軸にて対応し、他に延ばし過ぎた電線を巻き取って、巻き束の入れ替えを簡単にする８の字型パイプ、外出し、中出し問わず左右上下３６０度方向自在に引き回すことの出来るトンボ型引き廻し装置等が構築されている。小さくして携帯し、大きくして使用し、不使用時には組み解いてケースに収納し軽快に携帯できる。
電線の他に紐、縄、ロープ、ビニール管等の巻き束にも使用できる外出し、中出し、両出し成る組み立て式携帯電線リールである。
【産業上の利用可能性】
【００１１】  配線作業に関わる電気工事士の殆んどは自分の電線リールを持っていない。本発明によるケースに収納した外出し、中出し、両出しなる組み立て式携帯電線リールを常に携帯し、手元に置いて必要時に即応し、床に延線しつつ撚りを取り除く無駄な作業を無くする工具でありたい。
小さくして携帯し、大きくして使用できるリールは電線以外の紐、縄、ロープ、ビニール管等の巻き束にも使用できるので、設備工事、建築業、農業、漁業等幅広い使用が期待できる。
【符号の説明】
【００１２】  １    円板
２    ナット
３    回転軸
４    回転軸を通す穴
５    キャスター
６    ストッパー
７    ストッパー付スライド式円板拡大具
８    ナットを抱いたＣ型レール
９    アンカー打ち込み型ボルト
１０    ８の字型パイプ
１１    トンボ型パイプ
１２    伸縮用パイプ
１３    電線の脱着自在なる電線繰出しガイドフックの大型
１４    電線の脱着自在なる電線繰出しガイドフックの小型
１５    全捻子ボルト
１６    ストッパー付止めナット
１７    巻き束電線
【図１】
2010280501.tif 000003
【図２】
2010280501.tif 000004
【図３】
2010280501.tif 000005
【図４】
2010280501.tif 000006
【図５】
2010280501.tif 000007
【図６】
2010280501.tif 000008
【図７】
2010280501.tif 000009
【図８】
2010280501.tif 000010
【図９】
2010280501.tif 000011
【図１０】
2010280501.tif 000012